(57)【要約】  本発明は、微小循環に対する携帯電話および無線ネットワークに接続されたコンピュータからの電磁放射の悪影響を抑制および相殺することによって、微小循環を改善するための装置および方法を提供する。本装置は、検出された電磁放射周波数と同期されかつ反対の振幅で周波数を生成することによって、微小循環に対する前記電磁放射周波数の悪影響を抑制および相殺する。【選択図】図１
2021519189.tif 000002
【特許請求の範囲】
【請求項１】
人体の微小循環を改善するための装置であって、前記装置は、
空気中の電磁放射の周波数とそれらに付随する振幅を検出するための検出器（１０２）、
正弦波形を３６ＭＨｚで変調しかつそれに付随する高調波を最大２．６ＧＨｚに変調するための共振器（１０３）と減衰回路（１０４）、
前記検出器（１０２）からの電磁放射の検出された周波数と振幅、および前記共振器（１０３）からの変調された正弦波形とそれに付随する高調波を受信するための入力部を有するプロセッサ（１０５）を備え、前記プロセッサは、空気中の前記電磁放射の検出された前記周波数に従ってかつ検出された前記周波数の振幅と反対の振幅で、前記変調された正弦波形とその高調波を選択的に増幅するように適合され、
増幅された前記正弦波形とその高調波を送信するアンテナ（１０８）を備える、装置。
【請求項２】
前記装置は携帯可能である、請求項１に記載の人体の微小循環を改善するための装置。
【請求項３】
前記装置はさらに、再充電可能な携帯型電源を備える、請求項２に記載の人体の微小循環を改善するための装置。
【請求項４】
前記装置の最大出力電力は２０ｄＢｍおよび０．０８ワットである、請求項１から３のいずれか一項に記載の人体の微小循環を改善するための装置。
【請求項５】
前記装置の最大送受信可能範囲は８メートルである、請求項１から４のいずれか一項に記載の人体の微小循環を改善するための装置。
【請求項６】
人体の微小循環を改善するための方法であって、前記方法は、
空気中の電磁放射の周波数と振幅を検出するステップ、
正弦波形を３６ＭＨｚで変調し、合わせてそれに付随する高調波を最大２．６ＧＨｚに変調するステップ、
空気中の前記電磁放射の検出された前記周波数に従ってかつ検出された前記周波数の振幅と反対の振幅で、前記正弦波形とその高調波を選択的に増幅するステップ、および
増幅された前記正弦波形とその高調波を送信するステップ、
を含む、方法。
【発明の詳細な説明】
【技術分野】
【０００１】
本発明は、循環を改善するための方法および装置に関する。本発明は、特に、人体の微小循環の改善に関する。
【背景技術】
【０００２】
微小循環は、臓器組織内に存在する最小の血管内の血液の循環である。微小循環系は、末端細動脈、毛細血管、および細静脈で構成されている。微小循環は、酸素化された血液を毛細血管に運び、血液は、毛細血管から細静脈内にそして静脈内に流れ込む。前記微小循環の主な機能は、酸素と栄養素の供給および二酸化炭素の除去である。また、前記微小循環は、血流と組織灌流を調節することによって、血圧と炎症への応答に影響を与える。
【０００３】
人体における微小循環は、通常、安静（睡眠）時に減少し、最近発見されたように、人体がモバイルデバイスやコンピュータに接触する際も減少する。微小循環不良は、手や足などの四肢で最も一般的である。微小循環の低下の影響には、酸素輸送の低下、頭痛、倦怠感、集中力の低下、しびれ、うずき、四肢の冷え、心臓および血圧の問題につながる老廃物除去の減少が含まれる。
【０００４】
トレント大学の環境資源研究教授でトロント大学から博士号を取得したマグダ・ハバス博士（Ｄｒ．  Ｍａｇｄａ  Ｈａｖａｓ）は、コーネル大学で、コンピュータおよびモバイルデバイスからの電磁放射に曝された後の被験者の微小循環の質を調査するポスドク研究を完了した。博士の報告により、これらのデバイスがそれらのユーザの微小循環の質を癌に冒された患者と同様のレベルまで低下させたことが明らかとなった。したがって、モバイルデバイスおよびコンピュータの悪影響に対抗することによって微小循環を改善する方法および／または装置が必要とされる。モバイルデバイスおよびコンピュータの使用は、絶えず増加しているため、そのような方法と装置の必要性は、ますます増えていくことになる。
【発明の概要】
【０００５】
本発明の主な目的は、微小循環の減少を引き起こしているパーソナルコンピュータおよびモバイルデバイスからの電磁放射の影響を抑制する方法および装置を提供することである。本発明のさらなる目的は、電磁放射の影響を抑制するために人体との物理的接触を必要としない装置を提供することである。
【０００６】
本発明の一態様によれば、人体の微小循環を改善するための装置が提供され、前記装置は、
空気中の電磁放射の周波数とそれらに付随する振幅を検出するための検出器、
正弦波形を３６ＭＨｚで変調しかつそれに付随する高調波を最大２．６ＧＨｚに変調するための共振器と減衰回路、
前記検出器からの電磁放射の検出された周波数と振幅、および前記共振器からの変調された正弦波形とそれに付随する高調波を受信するための入力部を有するプロセッサを備え、前記プロセッサは、空気中の前記電磁放射の検出された前記周波数に従ってかつ検出された前記周波数の振幅と反対の振幅で、前記変調された正弦波形とその高調波を選択的に増幅するように適合され、
増幅された前記正弦波形とその高調波を送信するアンテナを備える。
【０００７】
前記装置は、空気中の電磁放射を拾い上げ、その周波数、位相、および振幅を分析し、３６ＭＨｚ発振器と減衰回路によって生成されるいずれかの正弦波形とそれに付随する高調波を選んで、空気中の検出された周波数とそれらの振幅に基づいて増幅する。前記プロセッサはさらに、３６ＭＨｚ発振器によって生成された選択された前記周波数を、検出された前記周波数とそれらの振幅とは反対の振幅で増幅する。
【０００８】
前記装置は、機能するためにユーザとのいかなる物理的接触も必要としないという点で、現在の既存の循環増強技術に照らして有利である。現在の既存の技術では、通常、循環を強化するために、ユーザはデバイスまたはその拡張機能部のいずれかを装着する必要がある。このようにデバイスを装着するか、デバイスと常に接触するかのいずれかを必要とすることにより、ユーザの動きが厳しく制限される。デバイスを長期間使用すると、ユーザは非常に不快になる。したがって、本出願の一実施形態による装置は、ユーザが支障なく日常の活動を継続することができるため、非常に好都合である。
【０００９】
一実施形態によれば、前記装置は携帯可能である。
前記装置は、手のひらサイズからコンピュータタブレットのサイズまでの範囲で測定できるため、持ち運び可能である。
【００１０】
別の実施形態によれば、前記装置はさらに、再充電可能な携帯型電源を含む。
前記装置は、リチウムイオン電池などの再充電可能で携帯可能な電源で動作することができる。
【００１１】
別の実施形態では、前記装置の最大出力電力は、２０ｄＢｍおよび０．０８ワットである。
１つの機能によると、前記装置の最大送受信可能範囲は８メートルである。
【００１２】
別の態様によれば、人体の微小循環を改善するための方法が提供され、前記方法は、
空気中の電磁放射の周波数と振幅を検出するステップ、
正弦波形を３６ＭＨｚで変調し、合わせてそれに付随する高調波を最大２．６ＧＨｚに変調するステップ、
空気中の前記電磁放射の検出された前記周波数に従ってかつ検出された前記周波数の振幅と反対の振幅で、前記正弦波形とその高調波を選択的に増幅するステップ、および
増幅された前記正弦波形とその高調波を送信するステップ、
を含む。
【図面の簡単な説明】
【００１３】
本発明は、本発明の実施形態を説明することのみを目的としており、本発明を限定することを目的としていない、以下の図面と併せて説明する。
【００１４】
【図１】図１は、本発明の実施形態による、電磁放射を生成するデバイスによって引き起こされる微小循環への悪影響を抑制するための装置のブロック図を示す。
【００１５】
【図２】図２は、本発明の実施形態による装置の周波数出力を示す図である。
【００１６】
【図３】図３は、本発明の実施形態による、被験者の血流に対する装置の効果を示す。
【発明を実施するための形態】
【００１７】
本発明を、以下の実施例を参照して詳細に説明する。
図１による本発明の実施形態による装置は、整流回路／ＤＣ供給回路１０１および干渉検出回路１０２からなる。前記装置内の主要構成部品は５Ｖ  ＤＣで動作するため、前記装置の少なくとも３つのバリエーションが可能である：
１）  ＡＣのみで電力を供給される装置、
２）  ＡＣまたはＤＣのいずれかで電力を供給される装置、および
３）  ＤＣのみで電力を供給される装置。
【００１８】
前記装置のＡＣまたはＡＣ／ＤＣ変形は、１００Ｖ〜２４０Ｖ  ＡＣ（６０Ｈｚまたは５０Ｈｚ）の範囲で壁のコンセントからＡＣ入力を受け取ることができる。降圧トランス（図示せず）を使用して、ＡＣ入力を１００Ｖ〜２４０Ｖ  ＡＣの範囲で５Ｖ  ＡＣに変換する。整流回路／ＤＣ供給回路１０１は、５Ｖ  ＡＣを脈動５Ｖ  ＤＣに変換し、次に、前記脈動５Ｖ  ＤＣは、適切なコンデンサを使用して整流回路／ＤＣ供給回路１０１内でフィルタリングされ、すべてのリップルが除去され、純粋な５Ｖ  ＤＣが得られる。
【００１９】
ＤＣのみのバージョンの前記装置、すなわち、マンガン電池、アルカリ電池、リチウム電池、または充電式リチウムイオン電池パックのいずれかによってのみ電力が供給されるものは、上記のすべてのＡＣ要件を単に迂回することによって完全に可能であることを理解されたい。ＡＣトランス、整流回路などがないため、ＤＣのみのバージョンの前記装置は、携帯性に優れている。
【００２０】
整流回路／ＤＣ供給回路１０１は、５Ｖ  ＤＣをプロセッサ１０５、表示回路１０６、およびＬＣＤ表示およびバックライトモジュール１０７に供給する。プロセッサ１０５は、干渉検出回路１０２に接続される。
【００２１】
前記デバイスのスイッチがオンになると、干渉検出回路１０２は、空気中の電磁放射を検出し、検出された放射の詳細をプロセッサ１０５に提供する。プロセッサ１０５に提供される値は、少なくとも前記放射の周波数、各周波数の位相、および各検出された周波数の振幅を含む。
【００２２】
正弦波の基本的な特性により、３６ＭＨｚ共振器１０３は、減衰回路１０４によって減衰されると、３６ＭＨｚの高調波を自然に生成することになる。したがって、３６ＭＨｚ共振器は、第２、第３、第４、第５などの３６ＭＨｚの高調波をｎのオーダーで出力することになり、ここで、ｎは１、２、３、４、５などである。
【００２３】
本発明の実施形態に基づく装置では、３６ＭＨｚ共振器１０３は、減衰回路１０４と連動して、その高調波と共に３６ＭＨｚで正弦波形を生成する。
【００２４】
干渉検出回路１０２によって検出された電磁放射の周波数に基づいて、前記プロセッサは、３６ＭＨｚを超える高調波（３６ＭＨｚの基本正弦波形も含む）のいずれかを選択し増幅する。結果として、増幅された正弦波とその高調波の振幅は空気中で検出された周波数の振幅と一致するが、反対の振幅である。
【００２５】
２．６ＧＨｚを超える放射周波数は微小循環に有害作用を及ぼさないように思われるため、前記装置は、３６ＭＨｚの倍数から２．６ＧＨｚまでのキャンセル周波数を出力することのみを必要とする。空気中で同じ周波数の電磁放射が検出されると、前記装置は、以下のキャンセル周波数を出力する：３６ＭＨｚ、７２ＭＨｚ、１０８ＭＨｚ、１４４ＭＨｚ、１８０ＭＨｚ、２１６ＭＨｚ、２５２ＭＨｚ、２８８ＭＨｚ、３２４ＭＨｚ、３６０ＭＨｚ、３９６ＭＨｚ、４３２ＭＨｚ．．．最大２．６ＧＨｚ。
【００２６】
次に、前記増幅された波形および高調波（まとめてキャンセル周波数と呼ぶ）は、その装置内の内蔵アンテナ１０９に適用される。前記キャンセル周波数の交流によって励起されると、内蔵アンテナ１０９は、これらの周波数（３６ＭＨｚ、７２ＭＨｚ、１０８ＭＨｚなど）を空気中に放射する。これらのキャンセル周波数は、空気中のそれらの対応する放射周波数と反対の振幅を有するため、互いに抑制するかまたは、互いに完全に相殺する。抑制およびキャンセル効果を機能させるために、プロセッサ１０５が、前記キャンセル周波数を空気中で検出されたそれらの放射周波数に同期させることが重要である。
【００２７】
前記キャンセル周波数の出力電力が確実にＣＥ  ＥＭＣ規格内にあるように、バンドパスフィルタリング回路１０８と組み合わせた減衰回路１０４が必要とされる。本発明の本実施形態では、前記装置の送信電力は、前記装置が８メートルの有効範囲を有するように、２０ｄＢｍおよび０．０８Ｗに設定される。これにより、本発明の実施形態による２つの隣接する装置が互いに干渉し、それらの出力の有益な効果を相殺することが防がれる。
【００２８】
設計に応じて、ＬＣＤ表示およびブラックライトモジュール１０７と組み合わせた表示回路１０６は、クリアランスパーセンテージに期待される放射周波数の情報を提供することができる。前記ＬＣＤ表示の主な目的は、前記装置が動作中であることをユーザに通知することである。
【００２９】
図２は、一般的な実験用オシロスコープで読み取った、前記装置の出力正弦波パターンを示す。前記装置の出力には、検出された電磁放射の周波数に応じてさまざまなレベルで増幅された高調波が含まれているため、周波数パターンは前記装置の環境に応じて変化することになる。たとえば、９００ＭＨｚの強い電磁放射周波数がある領域では、前記装置は、９００ＭＨｚ（３６ＭＨｚｘ２５）のキャンセル周波数を増幅して、この放射が微小循環に及ぼす悪影響を抑制することになる。
【００３０】
本発明の一実施形態による前記装置の有益な効果は、血流測定デバイスによって記録される。図３は、時間に対する測定デバイスの出力グラフを示す（時間は前記グラフに表示されず）。前記デバイスは、被験者が最初に携帯電話を介して電磁放射を受け、次に本発明の実施形態による前記装置を使用して前記携帯電話の電磁放射効果が抑制されるときに、前記被験者の指の微小循環を測定する。前記グラフからわかるように、前記被験者の指の初期微小循環速度は、時間マーカー１、３０１で６．１３ｃｍ／ｓである。前記被験者が時間マーカー２、３０２で携帯電話と接触すると、前記被験者の微小循環は、２．５５ｃｍ／ｓに低下する。前記装置が時間マーカー３、３０３でオンにされた後、前記測定デバイスは、時間マーカー４、３０４で２０．１ｃｍ／ｓまでの微小循環のスパイクを検出する。流量は、時間マーカー５、３０５で２９．９ｃｍ／ｓまで増加し続け、次に時間マーカー６、３０６で３５．５ｃｍ／ｓに増加し、最終的に前記グラフの時間マーカー７、３０７で２６．６ｃｍ／ｓで安定する。
【００３１】
したがって、本発明は、ハンドヘルドセルラーデバイスまたはワイヤレスネットワークに接続されたコンピュータのいずれかからの微小循環に対する電磁放射の悪影響を効果的に抑制できると推測することができる。
【００３２】
上記の例は、独自の実施形態で本発明を詳述しているが、それは決して網羅的ではない。したがって、本発明は、本発明の範囲から逸脱することなく、他の多くの方法で具体化され得ることが理解されるべきである。
【図１】
2021519189.tif 000003
【図２】
2021519189.tif 000004
【図３】
2021519189.tif 000005
【国際調査報告】
2021519189.tif 000006
2021519189.tif 000007
2021519189.tif 000008